(57)【特許請求の範囲】
【請求項１】
電気設備・機器が収納される盤内及び盤外での電磁波を検出する１対のアンテナ受信機を設け、各アンテナ受信機で検出された盤内外の電磁波を部分放電検出手段に入力して電気設備・機器の電源電圧波形と位相比較し、交流の電源電圧波形の特定の位相範囲内の電磁波を部分放電として同定・評価するものにおいて、
前記電気設備・機器に発生する接地電流を高周波変流器で検出して前記部分放電検出手段に入力すると共に、
前記部分放電検出手段は、
前記１対のアンテナ受信機で検出された各電磁波の整流処理された絶対値の波形ＷA，ＷBの大小比較をし、前記盤内に設置されたアンテナ受信機で検出された波形ＷAが大のとき部分放電波形として採用する比較処理手段と、
部分放電波形として採用された波形ＷAと前記電源電圧波形とを相別に比較し、波形ＷAが電源電圧波形に対して適切なタイミングの位相関係位置にあるかを比較する相別比較処理手段と、
相別比較処理された波形ＷAが電源電圧波形の所定の位相範囲内にあるとき、前記高周波変流器で検出された接地電流波形が同期しているかを比較し、波形ＷAと接地電流波形が同期しているとき前記盤内に部分放電発生として同定・評価する部分放電の発生有無判定処理手段と、
を備えたことを特徴とした部分放電検出装置。
【請求項２】
前記部分放電検出手段は、前記比較処理手段による前記波形ＷAが部分放電波形として採用時に、波形ＷAに対してエンベロープ波形処理及び高速フーリエ変換し、フーリエ係数（信号強度）から部分放電の発生を同定・評価する手段を備えたことを特徴とした請求項１記載の部分放電検出装置。
【請求項３】
前記部分放電検出手段は、前記電気設備・機器外部の環境電磁波のスペクトルが存在しないフィールドにおける電磁波を部分放電電磁波として検出して部分放電の発生を同定・評価する手段を備えたことを特徴とした請求項１記載の部分放電検出装置。
【請求項４】
前記アンテナ受信機は、アンテナ受信する電磁波を基準信号でミキシングして中間周波数にダウンコンバート処理を行って、部分放電電磁波の検出信号として取り出す手段を備えたことを特徴とした請求項１乃至３記載の何れか１項に記載の部分放電検出装置。
【発明の詳細な説明】
【技術分野】
【０００１】
本発明は、電気設備・機器の内部での部分放電発生を検出する部分放電検出装置に係り、特に部分放電発生に伴い放出される電磁波（部分放電電磁波）をアンテナで受信し、この部分放電電磁波から電気設備・機器の外部の環境電磁波を分別して部分放電発生を同定・評価する装置に関する。
【背景技術】
【０００２】
電気設備・機器に発生する部分放電（ＰＤ）を非接触で検出するものとして、部分放電源から放射される電磁波を複数のアンテナで受信し、電磁波空間位相差法を用いて部分放電発生を検出する手法が提案されている。
【０００３】
例えば、電磁波空間位相差法を用いて４本のアンテナを用いて同時に１回測定後、このデータから電磁波到達時間差を求め双曲線法を用いて電磁波発生位置を特定する方法がある。または、２本のアンテナを準備して１回測定後アンテナ位置を変更し再度測定をすることを数回くり返し、この測定データから同様に電磁波到達時間差を求め双曲線法を用いて電磁波発生位置を特定する方法がある。
【０００４】
これらの電磁波発生位置の特定には、例えば、アンテナにより受信された２つの部分放電電磁波信号をデジタルオシロスコープに取り込み、コンピュータを利用したデジタル処理により時間平均、標準化した後、フーリエ変換による周波数領域に変換し、その後相互関数を求め、適応フィルタを通した後、逆フーリエ変換による時間領域に変換してアンテナ間の到達時間差を求める。
【０００５】
このような方法による部分放電検出装置として、携帯性、精度、経済性の面から改良を図ったものも提案されている（例えば、特許文献１参照）。この特許文献１では、例えば、２つのアンテナで受信した電磁波信号から、それぞれバンドパスフィルタで特定の周波数成分の信号を抽出し、これら両信号に基準周波数をミキシングして直交検波を行なった後、低周波成分の信号を取り出してＡ／Ｄ変換し、それらの除算処理で両受信信号の位相差を算出する。
【０００６】
他の装置として、小型化を図るため、アンテナ自体が小さくかつアンテナ間の基線長も短くなるＵＨＦ帯を含む超広帯域の電波干渉計システムが提案されている（例えば、特許文献２参照）。
【先行技術文献】
【特許文献】
【０００７】
【特許文献１】特開２００６−２５０８７０号公報
【特許文献２】特開２００３−４３０９４号公報
【発明の概要】
【発明が解決しようとする課題】
【０００８】
従来の電磁波空間位相差法による部分放電検出手法では、４本のアンテナを一定間隔に配置して測定する場合では、特許文献２のようにＵＨＦ帯のアンテナを使用することでその小型化を図るにしても、４本のアンテナを配置するスペースが必要となり、測定装置の大幅な小型化が難しくなる。なお、２本のアンテナ位置を変更しながら複数回測定する方法では、アンテナ本数を半減できるが、アンテナ位置の変更の手間が必要となるし、アンテナ位置にズレを起こしてしまうと測定精度の低下になる。
【０００９】
また、電磁波空間位相差法による検出装置では、電磁波発生源が１つの場合は問題とならないが、部分放電発生機器の周辺にノイズ源が存在するなど、電磁波発生源が複数ある場合には部分放電発生位置の特定が難しい。
【００１０】
なお、アンテナ１つで移動しながら電磁波の出力が大きい場所を探す手法が考えられるが、対象電気機器は通常高電圧が印加されているため、安全面を考えるとあまり近づくことができない。また、部分放電電磁波は常時―定の出力ではなく時間的変化が大きいため、アンテナを移動させている間に電磁波出力が変化し、部分放電位置の特定ができない場合がある。この問題は上記の２本のアンテナ位置を変更しながら複数回測定する場合にもある
本発明の目的は、電気設備・機器に部分放電が発生したことをアンテナ受信により簡易に検出でき、しかも環境電磁波と分別して部分放電の発生を確実に同定・評価できる部分放電検出装置を提供することにある。
【課題を解決するための手段】
【００１１】
本発明は、前記の課題を解決するため、盤外で検出される電磁波は環境電磁波によるものが大部分を占め、盤内で検出される電磁波は盤を収納する金属箱により環境電磁波の強度が減衰していることに着目し、電気設備・機器が収納される盤内および盤外での電磁波を１対のアンテナ受信機で検出し、盤内で検出される電磁波の強度が盤外で検出される電磁波の強度よりも大きい電磁波のみを部分放電による電磁波として検出して部分放電の発生を同定・評価する。
【００１２】
さらに、部分放電は電気設備・機器の電源電圧波形の振幅が上昇するタイミングで発生し易いことに着目し、盤内に発生した電磁波の絶対値整流波形を電気設備・機器の電源電圧波形と位相比較し、電源電圧波形の特定の位相範囲内の電磁波を部分放電として検出し、部分放電の発生を同定・評価する。
【００１３】
さらに、電気設備・機器に部分放電が発生すると、その接地線電流にも部分放電電流が含まれることに着目し、部分放電によるものとして検出された電磁波の絶対値整流波形のうち、電気設備・機器に発生する接地電流検出値との発生タイミングの比較によりそれらが同じタイミングになるか否かで部分放電の発生を同定・評価する。
【００１４】
さらに、部分放電波形がもつ基本周期は、電源電圧周波数の倍の周波数成分になることに着目し、部分放電によるものとして検出された電磁波の絶対値整流波形をエンベロープ（ＥＮＶ）波形処理および高速フーリエ変換（ＦＦＴ）し、フーリエ係数の値（信号強度）から部分放電の発生を同定・評価をする。
【００１５】
さらに、環境電磁波スペクトルは、フィールドによって異なることに着目し、放送波などの影響の少ない帯域を選択し、このフィールドにおける電磁波を部分放電電磁波として検出して部分放電の発生を同定・評価する。
【００１６】
さらに、アンテナで受信する部分放電電磁波は高周波帯域になり、その信号処理回路も処理の高速化、高度化が必要となることを考慮し、アンテナ受信する電磁波を基準信号でミキシングして中間周波信号にダウンコンバート処理を行って、部分放電電磁波の検出信号として取り出す。
【００１７】
以上のことから、本発明は以下の構成を特徴とする。
【００１８】
（１）電気設備・機器が収納される盤内及び盤外での電磁波を検出する１対のアンテナ受信機を設け、各アンテナ受信機で検出された盤内外の電磁波を部分放電検出手段に入力して電気設備・機器の電源電圧波形と位相比較し、交流の電源電圧波形の特定の位相範囲内の電磁波を部分放電として同定・評価するものにおいて、
前記電気設備・機器に発生する接地電流を高周波変流器で検出して前記部分放電検出手段に入力すると共に、
前記部分放電検出手段は、
前記１対のアンテナ受信機で検出された各電磁波の整流処理された絶対値の波形ＷA，ＷBの大小比較をし、前記盤内に設置されたアンテナ受信機で検出された波形ＷAが大のとき部分放電波形として採用する比較処理手段と、
部分放電波形として採用された波形ＷAと前記電源電圧波形とを相別に比較し、波形ＷAが電源電圧波形に対して適切なタイミングの位相関係位置にあるかを比較する相別比較処理手段と、
相別比較処理された波形ＷAが電源電圧波形の所定の位相範囲内にあるとき、前記高周波変流器で検出された接地電流波形が同期しているかを比較し、波形ＷAと接地電流波形が同期しているとき前記盤内に部分放電発生として同定・評価する部分放電の発生有無判定処理手段と、
を備えたことを特徴とする。
【００２１】
（２）前記部分放電検出手段は、前記比較処理手段による前記波形ＷAが部分放電波形として採用時に、波形ＷAに対してエンベロープ波形処理及び高速フーリエ変換し、フーリエ係数（信号強度）から部分放電の発生を同定・評価する手段を備えたことを特徴とする。
【００２２】
（３）前記部分放電検出手段は、前記電気設備・機器外部の環境電磁波のスペクトルが存在しないフィールドにおける電磁波を部分放電電磁波として検出して部分放電の発生を同定・評価する手段を備えたことを特徴とする。
【００２３】
（４）前記アンテナ受信機は、アンテナ受信する電磁波を基準信号でミキシングして中間周波数にダウンコンバート処理を行って、部分放電電磁波の検出信号として取り出す手段を備えたことを特徴とする。
【発明の効果】
【００２４】
以上のとおり、本発明によれば、電気設備・機器に部分放電が発生したことをアンテナ受信により簡易に検出でき、しかも環境電磁波と分別して部分放電の発生を確実に同定・評価できる。
【００２５】
具体的には、以下の効果がある。
【００２６】
（１）アンテナ２本と電源電圧波形の取り込みを基本とするため装置構成が簡易である。
【００２７】
（２）電気設備・機器が収納される盤内部と外部のアンテナ受信電磁波から部分放電を検出するため、精度のよい測定が可能である。
【００２８】
（３）環境電磁波の測定を事前に実施し影響の少ない帯域を選定するため、部分放電電磁波の抽出時の環境電磁波との分別が容易である。
【００２９】
（４）フィールド毎に診断対象周波数を選定可能とすることで、フィールドが異なっても診断を行うことが可能である。
【００３０】
（５）抽出した電磁波を電源電圧波形の位相と比較することで部分放電発生の同定確度を向上することができる。
【００３１】
（６）電気設備・機器が収納される盤の接地電流を利用して部分放電の発生を検出するため、部分放電発生の同定確度を向上することができる。
【図面の簡単な説明】
【００３２】
【図１】本発明の実施形態を示す部分放電検出装置の全体構成図。
【図２】部分放電電磁波検出の概略構成図。
【図３】環境電磁波スペクトルの例。
【図４】外部環境電磁波の影響の少ない周波数帯域の例。
【図５】部分放電電磁波の低周波変換の例。
【図６】部分放電の発生有無判定フロー。
【図７】部分放電電磁波の抽出処理例。
【発明を実施するための形態】
【００３３】
（１）部分放電検出装置の全体構成
図１は部分放電検出装置の全体構成を示す。部分放電電磁波の検出手段として、１対のアンテナ受信機、１つの接地線電流検出器および電源電圧位相検出器を設ける。アンテナ受信機は、一方は電気設備・機器が設置される盤内に設置され、他方は盤外に設置され、これらの構成は盤内と盤外周辺で発生する電磁波の基本周波数帯域を受信周波数帯域とするアンテナ１Ａ，１Ｂと、それぞれのアンテナ１Ａ，１Ｂで受信した微弱電磁波を増幅するローノイズアンプ（ＬＮＡ）２Ａ，２Ｂと、それぞれのアンプ２Ａ，２Ｂの出力から設定された周波数帯域の電磁波信号を抽出するバンドパスフィルタ（ＢＰＦ）３Ａ，３Ｂと、それぞれのフィルタ３Ａ，３Ｂの出力を適当なレベルまで増幅するアンプ（ＡＭＰ）４Ａ，４Ｂを備える。
【００３４】
接地線電流検出器は、電気設備・機器の接地線に流れる部分放電を含む接地電流を変成する高周波変流器５と、この変流器５の出力から設定された周波数帯域のみの波形を抽出するバンドパスフィルタ（ＢＰＦ）６と、このフィルタ６の出力を適当なレベルまで増幅するアンプ（ＡＭＰ）７によって構成する。
【００３５】
電源電圧位相検出器は、電気設備・機器の電源として取り込まれる３相または単相の交流電源から降圧した単相の電圧信号を得るトランス（変成器）８と、このトランス８の出力からノイズ成分を除去した電源電圧位相信号（正弦波）を得るローパスフィルタ（ＬＰＦ）９と、このフィルタ９の出力を適当なレベルまで増幅するアンプ１０によって構成する。
【００３６】
次に、部分放電検出手段として、信号処理部１１と同定・評価部１２を設ける。信号処理部１１は、上記の２つのアンテナ受信機と、１つの接地線電流検出器および電源電圧位相検出器の各出力信号に対する測定や分析、信号変換、部分放電電流の同定や評価のための各種データ処理を行う。例えば、信号処理部１１は、アンテナ受信機で受信した電磁波のうち、部分放電電流の測定信号の周波数変換と抽出、電源電圧に対する位相検出、アナログ信号のサンプリングによるデジタル値への変換（Ａ／Ｄ変換）、位相検出のためのデジタルオシロスコープ、スペクトラムアナライザなどを搭載する。
【００３７】
同定・評価部１２は、信号処理部１１で処理した結果としての部分放電電流波形や帯域スペクトルをグラフや波形表示し、部分放電の発生有無やその同定・評価に必要な情報を提供する。
【００３８】
以上までの各部構成および信号処理手法の詳細を以下に説明する。
【００３９】
（２）部分放電検出の基本構成・信号処理
部分放電電磁波検出は、図２に概略構成を示すように、２つのアンテナ受信機の一方（アンテナ１Ａのみ示す）は電気設備・機器の内部（盤内）に設置し、他方（アンテナ１Ｂのみ示す）は電気設備・機器の外周部（盤外）に設置し、信号処理部１１では両アンテナ受信機で測定した電磁波の強度の比較（金属箱による電磁波遮蔽の影響を応用）により盤内で発生した電磁波を抽出し、これにより盤外の環境電磁波による部分放電電流の検出精度への悪影響を取り除く。
【００４０】
すなわち、電気設備・機器の盤内で発生した電磁波（部分放電電磁波）は、盤内に設置したアンテナ１Ａでは感度よく検出されるが、盤外に設置したアンテナ１Ｂでは盤自体が金属箱であるため信号が減衰して検出される。逆に、放送波などによる環境電磁波は外部アンテナ１Ｂでは感度よく検出されるが内部アンテナ１Ａでは減衰したものが検出される。このことから、盤内で検出される電磁波の振幅が盤外で検出される電磁波の振幅よりも大きい電磁波のみを部分放電による電磁波として検出することで、盤外の環境電磁波による部分放電電流の検出精度への悪影響を取り除く。
【００４１】
次に、信号処理部１１では、盤内に発生した電磁波の検出波形について、電源電圧位相検出器（８，９，１０）で検出する電源電圧波形と位相比較し、この比較結果から同定・評価部１２は部分放電の発生を同定・評価する。すなわち、部分放電は電気設備・機器の電源電圧波形の振幅が上昇するタイミングで発生し易いことを考慮し、部分放電抽出波形と電源電圧位相との関連性から部分放電の検出を同定・評価する。
【００４２】
また、信号処理部１１では、盤内に発生した電磁波の検出波形について、接地線電流検出器の高周波変流器５で検出する電気設備・機器からの接地電流との発生タイミングを比較し、この比較結果から同定・評価部１２は部分放電の発生を同定・評価する。すなわち、電気設備・機器に部分放電が発生すると、その接地線電流にも部分放電電流が含まれることを考慮し、部分放電によるものとして検出された電磁波のうち、電気設備・機器に発生する接地電流検出値との発生タイミングの比較によりそれらが同じタイミングになるか否かで部分放電の発生を同定・評価する。
【００４３】
（３）部分放電電磁波の分離抽出
環境電磁波は、図３の（ａ）や（ｂ）に示した環境電磁波スペクトルに見られるように、フィールドによって異なる。そこで、本実施形態では、部分放電検出の順序としては、まずフィールド毎に環境電磁波を測定し、放送波などの影響の少ない帯域（図４中の周波数帯域Ｆ１〜Ｆ４）を選択し、２つのアンテナ検出機で盤内外の電磁波を同時に測定することで、環境電磁波による影響を極力減らして部分放電を検出できるようにする。
【００４４】
この検出手法において、測定される部分放電電磁波の周波数は数百ＭＨｚと高い。この場合、信号処理部１１における電磁波受信信号をＡ／Ｄ変換するためのサンプリング周波数も高くしなければならないため、処理の高速化、高度化が必要となる。
【００４５】
この対策として、本実施形態では、図５の（ａ）に示すように、アンテナで受信した部分放電電磁波信号ＲＦと基準信号ＬＯをミキサ２１によりミキシングし、中間周波信号ＩＦにダウンコンバート処理を行い、この中間周波信号ＩＦをその周波数帯域をもつローパスフィルタ（またはバンドパスフィルタ）２２を通して部分放電電磁波の検出信号として取り出す。このダウンコンバートにより、部分放電電流信号の特徴を保持した状態で周波数を低くし、サンプリング周波数を数ＭＨｚ（例えば１０ＭＨｚ）まで落とし、信号処理回路での処理負担を軽減させる。ダウンコンバート処理前後の信号例を図５の（ｂ）に示す。
【００４６】
（４）部分放電の有無判定
図６に信号処理部１１と同定・評価部１２による部分放電の有無判定フローを示す。盤内に設置されるアンテナ受信機Ａ（図１の１Ａ，２Ａ，３Ａ，４Ａ）が受信した電磁波（またはダウンコンバートした信号）は絶対値整流処理Ｓ１によって全波整流処理をする。同様に、盤外に設置されるアンテナ受信機Ｂ（図１の１Ｂ，２Ｂ，３Ｂ，４Ｂ）が受信した電磁波（またはダウンコンバートした信号）は絶対値整流処理Ｓ２によって全波整流処理をする。これら整流処理波形ＷA，ＷBは、例えば図６中に、横軸を時間軸とし、縦軸を電磁波電流の振幅とする波形イメージ（ａ）を示すように、盤内部と外部では異なる波形態様を呈する。
【００４７】
比較処理Ｓ３は整流処理波形ＷB，ＷAの振幅の大小を比較し、波形処理部Ｓ４はＷB＜ＷAの場合（部分放電電磁波は盤内の信号レベルが高くなる）、波形ＷAの値を部分放電波形として採用し、そうでない場合は外部の環境電磁波が検出されたものと判定して、値「０」に変換処理する。波形処理後の波形は、例えば波形イメージ（ｂ）に示すようになる。
【００４８】
相別比較処理Ｓ５は、波形ＷAの発生タイミングを電源電圧波形に対する位相として検出する。このとき、電源電圧波形は、電源電圧位相検出器Ｄ（図１中の８〜１０）で検出する検出波形（Ｖ相とする）から、３相波形形成処理Ｓ６によって３相波形（Ｕ，Ｖ，Ｗ相波形）を形成する。比較処理時の波形は、例えば波形イメージ（ｃ）に示すようになり、３相波形別に部分放電検出波形の発生タイミングを検出する。
【００４９】
位相関連性評価処理Ｓ７は、３相の波形に対する部分放電検出波形のタイミングが適切な位相関係にあるか否かによって部分放電の発生の判定を評価する。すなわち、電源電圧の立ち上がりで部分放電が発生するケースが多いことを考慮して、電源電圧波形の位相０〜９０°および１８０〜２７０°に信号が検出されているか否かで当該信号が部分放電によるものとみなす。
【００５０】
位相関連性評価処理時の波形は、例えば波形イメージ（ｄ）に示すようになり、電源電圧波形の位相０〜９０°および１８０〜２７０°の範囲内に、部分放電電流波形ＷAを構成する一定レベル以上の振幅値（図５の（ｂ）の電磁波波形またはダウンコンバートした波形）をもつスパイク状波形の数の多さで同定・評価をする。
【００５１】
同期性比較処理Ｓ８は、波形ＷAの発生タイミングと接地線電流検出器Ｃ（図１中の５〜７）で検出する接地線電流波形とが同期しているかどうかを比較することにより、波形ＷAが部分放電電流波形であることを同定・評価する。同期性比較処理時の波形は、例えば波形イメージ（ｅ）に示すようになり、前記の波形イメージ（ｄ）に接地線電流波形を発生時刻を合わせて表示し、両波形が同じ時間内にあることで同期性を判定する。
【００５２】
部分放電の発生有無判定処理Ｓ９は、前記の位相関連性評価処理Ｓ７による評価値と同期性比較処理Ｓ８による同期性有りの判定が共に得られたときに盤内に部分放電が発生し、その同定・評価が得られたとする最終的な判定を行う。
【００５３】
図７は部分放電電磁波の抽出処理例を示し、同図の（ａ）には模擬配電盤内と盤外の検出電磁波信号（絶対値整流信号）波形を示し、（ｂ）には盤内外の電磁波強度比較による内部発生電磁波信号の抽出波形例を示す。
【００５４】
（５）部分放電発生の評価
ＥＮＶ＋ＦＦＴ処理Ｓ１０は、波形処理部Ｓ４で抽出した絶対値整流波形ＷAについて、そのエンベロープ（ＥＮＶ）波形処理を行い、この波形について高速フーリエ変換（ＦＦＴ）処理を行う。
【００５５】
１００Ｈｚ成分評価処理Ｓ１１は、上記の高速フーリエ変換（ＦＦＴ）処理で得られるフーリエ係数のうち、１００Ｈｚ成分のフーリエ係数の値（信号強度）から部分放電の発生を同定・評価する。
【００５６】
前記のように、部分放電は電源電圧波形の振幅が上昇する期間、すなわち位相０〜９０°および１８０〜２７０°に発生し易い。このことから、部分放電波形がもつ基本周期は、電源電圧周波数（５０Ｈｚとする）の倍の周波数（１００Ｈｚ）成分になることから、１００Ｈｚ成分のフーリエ係数から部分放電発生の大きさを評価することができ、部分放電検出の確信度を高める。
【００５７】
（６）部分放電発生状況の診断
図６等に示す部分放電発生の有無検出を、定期的に同設備に対して同条件で診断を実施し、そのトレンドから各部の判定処理の変化を観測し、部分放電発生状況を診断する。
【００５８】
このような診断は、部分放電検出装置にタイマを持たせ、タイマで設定する一定周期や時間パターンに従って部分放電検出処理を起動し、判定結果を記録するという、部分放電発生状況の自動診断装置とすることができる。
【符号の説明】
【００５９】
１Ａ，１Ｂ  アンテナ
２Ａ，２Ｂ  ローノイズアンプ（ＬＮＡ）
３Ａ，３Ｂ  バンドパスフィルタ（ＢＰＦ）
４Ａ，４Ｂ  アンプ（ＡＭＰ）
５  高周波変流器
６  バンドパスフィルタ（ＢＰＦ）
７  アンプ（ＡＭＰ）
８  トランス（変成器）
９  ローパスフィルタ（ＬＰＦ）
１０  アンプ
１１  信号処理部
１２  同定・評価部
【図１】
0005482078.tif 000002
【図２】
0005482078.tif 000003
【図３】
0005482078.tif 000004
【図４】
0005482078.tif 000005
【図５】
0005482078.tif 000006
【図６】
0005482078.tif 000007
【図７】
0005482078.tif 000008